(57)【要約】【課題】  高価な装置を使用する必要がなく、また除去した塵埃を周囲に拡散することなく、ＡＴＭの清掃を能率的に行うことができる取付枠付ゴミ浮遊拡散防止袋を提供すること。【解決手段】  ＡＴＭのような被清掃装置２の装置内のゴミが噴出される側の側面２１に嵌め込み式に装着可能な取付枠１１とゴミ４を一時的に収容する袋本体部１２と取付枠１１の反対側に設けられ、吸引ホースを装着可能なゴミ取出口１３とから成ることを特徴とする。【選択図】      図１
2006021126.tif 000002
【特許請求の範囲】
【請求項１】
ＡＴＭのような被清掃装置の装置内のゴミが噴出される側の側面に嵌め込み式に装着可能な取付枠と取付枠に取付けられ、ゴミを一時的に収容する袋本体部と取付枠の反対側に設けられ、吸引ホースを装着可能なゴミ取出口とから成ることを特徴とする取付枠付ゴミ浮遊拡散防止袋。
【請求項２】
取付枠は、天板と左右の側板と左右の底板と中央後部底板とから成ることを特徴とする請求項１に記載の取付枠付ゴミ浮遊拡散防止袋。
【請求項３】
取付枠はアルミ又はプラスチック又はグラスファイバー製であり、袋本体部はナイロン又はポリエチレン製であり、ゴミ取出口はＡＢＳ（塩ビ）製であることを特徴とする請求項１又は請求項２に記載の取付枠付ゴミ浮遊拡散防止袋。
【請求項４】
袋本体部が、伸縮自在の蛇腹部材から成ることを特徴とする請求項１乃至３のいずれか１項に記載の取付枠付ゴミ浮遊拡散防止袋。
【請求項５】
蛇腹部材が樹脂製あることを特徴とする請求項４に記載の取付枠付ゴミ浮遊拡散防止袋。
【発明の詳細な説明】
【技術分野】
【０００１】
本発明は、金融機関に設置された現金自動取扱機（以下、ＡＴＭと云う。）の内部に発生するほこり、紙粉等のゴミを清掃する際に使用される取付枠付ゴミ浮遊拡散防止袋に関する。
【背景技術】
【０００２】
銀行、郵便局、証券会社等の金融機関に設置されているＡＴＭは、紙幣処理装置、硬貨処理装置、カード処理装置、通帳処理装置等により構成されており、紙幣は装置内をローラやベルト等により高速で搬送され、その間に紙幣の検出、確認等が行われるが、そのために多数のセンサが装備されており、その多くは光学的センサが使用されている。
このように紙幣が高速で搬送処理されるために、搬送中にほこり以外にも紙幣から出る紙粉（以下、これらを塵埃又はゴミと云う。）が発生するが、この塵埃が光学的センサに付着すると、センサ機能を劣化させる。
またこのような塵埃が装置内の電子機器の半導体基板等に付着すると、絶縁不良等の不具合の原因ともなる。
そこで塵埃によるセンサ機能の劣化、半導体基板等の絶縁不良等を防ぐために、定期的に又は必要に応じて、保守員によりＡＴＭ内の清掃を行っている。
【０００３】
このような清掃を行う場合、従来対象部分に空気を噴射して塵埃を吹き飛ばしていたが、これでは吹き飛ばされた塵埃が、他の部分に付着したり、周囲に飛散して周囲環境を悪くしていた。
そこでこれを防ぐために、空気を吸引して負圧を発生する吸引装置と空気を加圧して空気ジェットを噴射する噴射装置と、これらに対してそれぞれホースを介して連結される吸引・噴射ヘッドとを備え、清掃に際して、吸引・噴射ヘッドに対して負圧が常時供給され、
空気ジェットの噴射は任意なタイミングで行うようにした清掃装置が提案されている（特許文献１参照）。
【０００４】
【特許文献１】特開２０００−４２５０４号公報（図１）
【発明の開示】
【発明が解決しようとする課題】
【０００５】
しかしながら上記の装置の場合、清掃する範囲が狭く、吸引・噴射ヘッドの大きさに対応するようなセンサ個々に付着した塵埃を清掃除去するのには効果的であるが、ＡＴＭには多数のセンサが装備されていて、これらの全体を清掃するには能率的ではない。また清掃装置としてはそれぞれが単独で操作される吸引装置と噴射装置を備えたものである必要があり、高価である。
【０００６】
本発明はこのような点に鑑み、高価な装置を使用する必要がなく、また除去した塵埃を周囲に拡散することなく、ＡＴＭの清掃を能率的に行うことができる装置（取付枠付ゴミ浮遊拡散防止袋）を提供することを目的とする。
【課題を解決するための手段】
【０００７】
上記の目的を達成するために、本発明の取付枠付ゴミ浮遊拡散防止袋１は、ＡＴＭのような被清掃装置２の装置内のゴミが噴出される側の側面２１に嵌め込み式に装着可能な取付枠１１と取付枠に取付けられ、ゴミ４を一時的に収容する袋本体部１２と取付枠１１の反対側に設けられ、吸引ホースを装着可能なゴミ取出口１３とから成ることを特徴とする。
【０００８】
上記において、取付枠１１は、天板１１１と左右の側板１１３，１１４と左右の底板１１５，１１６と中央後部底板１１７とから成ることを特徴とする。
【０００９】
また上記において、取付枠１１はアルミ又はプラスチック又はグラスファイバー製であり、袋本体部１２はナイロン又はポリエチレン製であり、ゴミ取出口１３はＡＢＳ（塩ビ）製であることを特徴とする。
【００１０】
また上記において、袋本体部１２が、伸縮自在の蛇腹部材から成ることを特徴とする。
【００１１】
また上記において、蛇腹部材が樹脂製あることを特徴とする。
【発明の効果】
【００１２】
本発明によれば、高価な装置を使用する必要がなく、また除去した塵埃を周囲に拡散することなく、ＡＴＭの清掃を能率的に行うことができるＡＴＭ清掃用取付枠付ゴミ浮遊拡散防止袋を提供することができる。
【発明を実施するための最良の形態】
【００１３】
本発明を実施するための最良の形態を実施例に基づき図面を参照して説明する。
【実施例１】
【００１４】
図１は、本発明の実施例１に係わる取付枠付ゴミ浮遊拡散防止袋の使用例を示す概念図、図２は取付枠の斜視図である。
図１において、１は本発明の取付枠付ゴミ浮遊拡散防止袋であり、ＡＴＭのような被清掃装置２の装置内のゴミ４が吹き出される側の側面２１に嵌め込み式に装着可能な取付枠１１と、取付枠１１に取付けられ、ゴミ４を一時的に収容する袋本体部１２と、取付枠１１の反対側に設けられ、吸引ホース３４を装着可能なＡＢＳ（塩ビ）製のゴミ取出口１３とから成り、袋本体部１２は空気が吹き込まれることにより膨らみ、空気を押出すことにより萎むようにナイロン又はポリエチレン製である。
【００１５】
取付枠１１は図２に示されるように、天板１１１と左右の側板１１３，１１４と左右の底板１１５，１１６と中央後部底板１１７とから成り、底板は中央部と前方部が欠けた形状である。これにより、取付枠１１をＡＴＭ２の後方から装着する場合に、ＡＴＭ２の車輪を避けて容易にＡＴＭ２の側面２１に装着することができる。
また取付枠１１はアルミ又はプラスチック又はグラスファイバー製であり、ＡＴＭの側面２１を略被うように嵌め込まれて装着可能な形状と寸法を備えたものであり、必ずしもＡＴＭの側面２１に密着するような正確な寸法のものでなくてよい。ゴミ取出口１３はＡＢＳ（塩ビ）製である。なおこれらの材料は上記のものに限らない。
【００１６】
２はＡＴＭのような被清掃装置で、清掃時にはＡＴＭ２の前面と後面の扉が外された状態で、上記のように装置内のゴミ４が噴出される側の側面２１に取付枠付ゴミ浮遊拡散防止袋１の取付枠１１が嵌め込まれて装着される。なお取付枠１１の天板１１１は側板、底板よりやや長めにし、ＡＴＭ２の天板より飛び出て、庇１１２を形成してもよい。
３は真空掃除機で、空気噴出口と吸引口３１を備えたものであればよく、例えば家庭用電気掃除機を改良して吸引口３１を設けたものでもよい。
そして空気噴出口に先端に空気噴出ノズル３３を有する噴出ホース３２が連結され、吸引口３１に吸引ホース３４の一端が、またその他端が枠付ゴミ浮遊拡散防止袋１のゴミ取出口１３に連結される。
【００１７】
清掃時には図１のように装着・連結した状態で、真空掃除機３を動作させ、噴出ホース３２の先端の空気噴出ノズル３３からの噴出空気を、センサのような清掃対象に向けて吹きつけると、センサに付着しているゴミ４は吹き飛ばされて袋本体部１２内に噴出し、これを膨らませてそこに溜まるが、袋本体部１２の奥に設けられているゴミ取出口１３に吸引ホース３４が連結されていることにより、袋本体部１２内に噴出したゴミ４は長く留まることなくゴミ取出口１３を通して、真空掃除機３に吸引されてその集塵袋に集められることになる。
【００１８】
この場合、取付枠付ゴミ浮遊拡散防止袋１があることにより、ＡＴＭ２から吹き飛ばされたゴミ４が周囲に拡散して周囲環境を悪くすることがない。
また噴出ホース３２の先端の空気噴出ノズル３３を手早くＡＴＭ２の各部分に順に向けて空気を吹きつけることにより、全体の清掃を能率的に行うことができる。
清掃を終えるに当たっては、ＡＴＭ２より取付枠１１を外し、ＡＴＭの前面と後面に扉を取付けることにより、清掃を終了する。この取付枠付ゴミ浮遊拡散防止袋１は１回毎には廃棄せずに、使用に耐える限り何回でも使用することができる。
【００１９】
取付枠１１と袋本体部１２は、数回以上の使用に耐えるような厚さであるのが望ましく、特に取付枠１１は袋本体部１２が破けた場合には、袋本体部１２のみを交換して（取付け直して）使用できるだけの強度を有するものであるのが望ましい。これにより取付枠１１を数十回以上も使用することが可能であり、全体としてみて、経済的である。
【実施例２】
【００２０】
図３は本発明の実施例２に係わる取付枠付蛇腹式ゴミ浮遊拡散防止袋の使用例を示す概念図である。
この例では、実施例１の袋本体部１２に相当する部分が蛇腹状のものであり、その一側が取付枠１１に取付けられ、他側にゴミ取出口１３を備えている。その材料としては例えば樹脂が用いられる。その他については実施例１のものと同様である。
【００２１】
以上のように、本発明の取付枠付ゴミ浮遊拡散防止袋を空気噴出口と吸引口を備えた真空掃除機とともに用いることにより、除去したゴミを周囲に拡散させることなく、能率的にＡＴＭの内部を清掃することができる。
【図面の簡単な説明】
【００２２】
【図１】実施例１に係る取付枠付ゴミ浮遊拡散防止袋の使用例を示す概念図である。
【図２】取付枠の斜視図である。
【図３】実施例２に係わる取付枠付蛇腹式ゴミ浮遊拡散防止袋の使用例を示す概念図である。
【符号の説明】
【００２３】
１：取付枠付ゴミ浮遊拡散防止袋
１１：取付枠
１１１：天板
１１２：庇
１１３：左側板
１１４：右側板
１１５：左底板
１１６：右底板
１１７：中央後部底板
１２：袋本体部
１２１：蛇腹部
１３：ゴミ取出口
２：ＡＴＭ
２１：側面
３：真空掃除機
３１：吸引口
３２：噴出ホース
３３：空気噴出ノズル
３４：吸引ホース
４：ゴミ
【図１】
2006021126.tif 000003
【図２】
2006021126.tif 000004
【図３】
2006021126.tif 000005